(57)【要約】【課題】本発明の目的は、電極式漏洩検出装置の検出値に生じる誤差を低減することである。【解決手段】測定対象の空間から流体をサンプリングするサンプリング配管と、該サンプリング配管によって導かれた流体が供給される電極式検出器と、該電極式検出器から送信される電流値，電圧値又は抵抗値に基づき警報の要否を判定する漏洩量判定器と、該漏洩量判定器の判定結果に基づき警報を表示する警報表示装置とを備えた電極式漏洩検出装置であって、前記電極式検出器が検出する電流値，電圧値又は抵抗値と液体漏洩量との関係を補正する補正量算出器を備えることを特徴とする。【効果】本発明によれば、電極式漏洩検出装置の検出値に生じる誤差を低減できる。【選択図】  図１
2011021887.tif 000002
【特許請求の範囲】
【請求項１】
測定対象の空間から流体をサンプリングするサンプリング配管と、
該サンプリング配管によって導かれた流体が供給される電極式検出器と、
該電極式検出器から送信される電流値，電圧値又は抵抗値に基づき警報の要否を判定する漏洩量判定器と、
該漏洩量判定器の判定結果に基づき警報を表示する警報表示装置とを備えた電極式漏洩検出装置であって、
前記電極式検出器が検出する電流値，電圧値又は抵抗値と液体漏洩量との関係を補正する補正量算出器を備えることを特徴とする電極式漏洩検出装置。
【請求項２】
請求項１記載の電極式漏洩検出装置であって、
前記補正量算出器は、前記電極式検出器に用いられる電極の使用時間に基づき補正することを特徴とする電極式漏洩検出装置。
【請求項３】
請求項１記載の電極式漏洩検出装置であって、
前記補正量算出器は、前記測定対象の空間より上流側のダクトに配置された第２の電極が検出する電流値に基づき補正することを特徴とする電極式漏洩検出装置。
【発明の詳細な説明】
【技術分野】
【０００１】
本発明は電極式漏洩検出装置に関する。
【背景技術】
【０００２】
特許文献１は、プラント内に配置され、容器や配管から漏洩した液体を検出する電極式漏洩検出装置を開示する。
【先行技術文献】
【特許文献】
【０００３】
【特許文献１】特開２００３−３５６９６号公報
【発明の概要】
【発明が解決しようとする課題】
【０００４】
しかし、特許文献１の技術は、電極部分の劣化状態や、検査対象領域に流入する空気性状が考慮されていなかった。そのため、電極部分の劣化状態や、検査対象領域に流入する空気性状により、検出装置の検出値に誤差が生じるという課題があった。
【０００５】
本発明の目的は、電極式漏洩検出装置の検出値に生じる誤差を低減することである。
【課題を解決するための手段】
【０００６】
本発明は、前記電極式検出器が検出する電流値，電圧値又は抵抗値と液体漏洩量との関係を補正する補正量算出器を備えることを特徴とする。
【発明の効果】
【０００７】
本発明によれば、電極式漏洩検出装置の検出値に生じる誤差を低減できる。
【図面の簡単な説明】
【０００８】
【図１】電極式漏洩検出装置の概要を示す。
【図２】液体漏洩量と電極で測定された電流値との関係式を表したものである。
【図３】電極の使用時間と補正量との関係を示した図である。
【図４】補正前後における液体漏洩量と電流値との関係式を示す（実施例１）。
【図５】補正前後における液体漏洩量と電流値との関係式を示す（実施例２）。
【発明を実施するための形態】
【０００９】
図面を参照して、各実施例を説明する。
【実施例１】
【００１０】
図１は、電極式漏洩検出装置の概要を示す。電極式漏洩検出装置１００は、サンプリング配管２，排風機３，サンプリング配管４，電極式検出器５，サンプリング配管６，漏洩量判定器８，警報表示装置１０，補正量算出器６０を備える。電極式検出器５は、電極１５を備える。排風機３は、検査対象の空間１から空気を取り込み、下流側の電極式検出器５に空気を送風する装置である。
【００１１】
検査対象の空間１内には、配管１１が設置されている。また、空間１はダクト１３とダクト１４により、他の空間とつながれている。ダクト１３とダクト１４内の圧力は、常にダクト１３側がダクト１４より高く維持されている。そのため、ダクト１３からダクト１４側に向けて空気が緩やかに流れており、逆流しない。ダクト１３には、ダクト１３内の気体性状・状態を計測する電極２１が設けられている。信号線２２は、電極２１の信号を関係式補正器５０に伝送する系統である。
【００１２】
配管１１は、その内部に流体が流れている。漏洩量検出装置１００は、配管１１を流れていた流体が配管の亀裂１２等により空間１内に漏洩した場合に検出する装置である。この漏洩量検出装置１００は、配管１１からの漏洩量が一定量以上になった場合、警報等により、プラントの運転員に流体が漏洩していることを伝える。
【００１３】
電極式検出器５（電極１５）と漏洩量判定器８との間、漏洩量判定器８と警報表示装置１０との間は、それぞれ信号線７，９によって接続されている。
【００１４】
プラント制御装置４２は、補正量算出器６０に電極１５の使用時間値を送信する。信号線４３は、プラント制御装置４２から補正量決定器４０に信号を送信する系統である。
【００１５】
補正量算出器６０は、電極１５の使用時間に基づき補正量を算出する補正量決定器４０，液体漏洩量と電極１５に生じる電流値の関係を記憶するメモリ３０，メモリ３０と補正量決定器４０からの信号に基づき関係式を補正する関係式補正器５０を備える。信号線３１，４１，５１はそれぞれ、メモリ３０と関係式補正器５０との間，補正量決定器４０と関係式補正器５０との間，関係式補正器５０と漏洩量判定器８との間を接続する。
【００１６】
排風機３は、サンプリング配管２を介して、空間１内の空気を吸い込み、サンプリング配管４を通して電極式検出器５に送風する。空間１内に配管１１から液体が漏洩している場合、電極式検出器５は空気中の液体成分を検出する。電極式検出器５を通過した空気は、サンプリング配管６を介して再び空間１に戻される。
【００１７】
液体漏洩量は、電極式検出器５内の気体中に挿入された電極１５間を流れる電流の電流値，電流によって生じる電圧値又は抵抗値等により検出可能である。
【００１８】
以下では電流値による検出を例に示す。
【００１９】
電極１５で検出された電流値は、信号線７を介して漏洩量判定器８に送られる。漏洩量判定器８は、液体漏洩量と電流値との関係、及び、一定量の液体が漏洩した場合に電極１５に生じる電流値（しきい値）を記憶する。漏洩量判定器８は、電極１５に生じる電流値がしきい値以上であった場合、液体漏洩が発生していると判断して、信号線９を介して警報表示装置１０に信号を送信する。警報表示装置１０は、この信号に基づき漏洩発生警報を発報する。運転員は、この警報の発報により、空間１内に漏洩が発生している事を知り、適切な対応操作を取る事が可能となる。
【００２０】
次に、補正量算出器６０の働きを説明する。
【００２１】
メモリ３０は、液体漏洩量と電極１５の電流値の関係式を記憶する。補正量決定器４０のメモリは、時間的劣化による電極の影響を算出するため、電極１５の使用時間と補正量の関係式を記憶する。
【００２２】
図２は、メモリ３０内に記憶されている、液体漏洩量と電極１５で測定された電流値との関係式を曲線で表したものである。漏洩量１０１は、警報を発報させる必要のある漏洩量を示す。漏洩量１０１に対応する電流値が電流値１０２（しきい値）である。この関係式を補正しない場合、漏洩量判定器８は、電極１５が電流値１０２（しきい値）よりも大きな電流値を検出した場合、警報を発報する。
【００２３】
図３は、補正量決定器４０に記憶されている、電極１５の使用時間と補正量との関係を曲線で示した図である。図３の例では、電極１５の使用時間が１０３である場合、対応する補正量１０４だけ、液体漏洩量と電流値の関係式が補正される。
【００２４】
図２，図３を用いて、関係式の補正方法を説明する。プラント制御装置４２は、電極１５の使用時間を補正量決定器４０に入力する。図３に示すように、補正量決定器４０は、電極１５の使用時間と補正量の関係式に基づき、電極１５の使用時間に対応した補正量を算出する。そして、補正量決定器４０は、信号線４１を介して関係式補正器５０に補正量を送信する。
【００２５】
また、関係式補正器５０は、液体漏洩量と電極１５で測定された電流値との関係式をメモリ３０から取り込む。
【００２６】
関係式補正器５０は、メモリ３０より入力された液体漏洩量と電流値との関係式（図２）を補正する。例えば図３において、電極１５の使用時間が時間１０３である場合、補正量１０４となる。そこで、関係式補正器５０は、液体漏洩量と電流値との関係式（図２）において、電流値に補正量１０４を加える。
【００２７】
図４は、補正後の液体漏洩量と電流値との関係式を示す。図４において、曲線１２０が補正後の関係式、曲線１２１が元々の関係式となる。図４に示す補正後の関係式は、信号線５１により、漏洩量判定器８が取り込む。漏洩量判定器８は、電極１５で測定された電流値が電流値１０５（しきい値）より大きい場合、警報を発報する。
【００２８】
なお、本実施例では液体漏洩量と電流との関係式を用いたが、電流によって生じる電圧値又は抵抗値と液体漏洩量との関係を用いた場合も同様の効果が得られる。
【００２９】
このように、電極式検出器が検出する電流値，電圧値又は抵抗値と液体漏洩量との関係を補正する補正量算出器を備えることにより、電極式漏洩検出装置の電極の劣化に伴う液体漏洩量と電流値の関係式を補正し、漏洩検出装置が検出する値の誤差や、警報の誤動作及び誤不動作の発生を防止できる。特に、従来は、図４において、電極１５の劣化により電流値１０２〜１０５間で発報していた誤警報が発報しなくなる。そして、電極の劣化状態に応じて補正された適切な電流値１０５以上の場合でのみ警報が発報することを可能としている。
【実施例２】
【００３０】
図１を用いて、空間１内の空気性状や状態によってバックグラウンド値が変動した場合の影響を回避する方法を示す。
【００３１】
空間１内の空気は、ダクト１３から送られてくる。そのため、配管１１から液体が漏洩した場合を除くと、空間１とダクト１３内の空気性状や状態は同一となる。そこで、本実施例では、ダクト１３内に設置した電極２１が電流値を検出する。電極２１は、信号線２２を介して関係式補正器５０にこの電流値を送信する。関係式補正器５０は、取り込んだ電極２１の電流量をバックグラウンドの上昇分とし、関係式（図２）を補正する。
【００３２】
図５は、ダクト１３の電極１５がバックグラウンド値（１５ｍＡ）を検出した場合に、関係式が示す電流値に１５ｍＡを加え、補正したものである。
【００３３】
図５に示すように、液体漏洩量と電流値の関係が、バックグラウンド分だけ考慮された関係式（曲線１２２）となっており、バックグラウンド上昇による誤警報の発生が回避されている。このように、補正量算出器が、測定対象の空間より上流側のダクトに配置された第２の電極が検出する電流値に基づき補正量を算出することにより、バックグラウンド値の変動に起因する、漏洩検出器の検出値の誤差や、警報の誤動作及び誤不動作の発生を防止できる。
【産業上の利用可能性】
【００３４】
本発明はプラントに設置される配管内を流れる液体の電極式漏洩検出装置に適用可能である。
【符号の説明】
【００３５】
１  空間
２，４，６  サンプリング配管
３  排風機
５  電極式検出器
７，９，２２，４１，４３，５１  信号線
８  漏洩量判定器
１０  警報表示装置
１１  配管
１２  配管の亀裂
１３，１４  ダクト
１５，２１  電極
３０  メモリ
４０  補正量決定器
４２  プラント制御装置
５０  関係式補正器
【図１】
2011021887.tif 000003
【図２】
2011021887.tif 000004
【図３】
2011021887.tif 000005
【図４】
2011021887.tif 000006
【図５】
2011021887.tif 000007